(57)【特許請求の範囲】
【請求項１】
第１の通信方式の通信回線又は第２の通信方式の通信回線によって、相手側通信装置との通話を行う通信部と、
前記第１の通信方式の通信回線を使用する第１の緊急通報用電話番号と前記第２の通信方式の通信回線を使用する第２の緊急通報用電話番号を記憶する記憶部と、
所定の発信先電話番号が、前記記憶部を参照して、前記第１の通信方式の通信回線を使用する第１の緊急通報用電話番号に含まれず、なお且つ前記第２の通信方式の通信回線を使用する第２の緊急通報用電話番号に含まれると判定した場合には、前記所定の発信先電話番号に対して、前記第１の通信方式の通信回線を使用する発信処理を実行せずに前記第２の通信方式の通信回線を使用する発信処理を実行する制御部と、
を備える通信装置。
【請求項２】
第１の通信方式の通信回線又は第２の通信方式の通信回線によって、相手側通信装置との通話を行う通信装置によって実行される制御方法であって、
前記第１の通信方式の通信回線を使用する第１の緊急通報用電話番号と第２の通信方式の通信回線を使用する第２の緊急通報用電話番号を記憶するステップと、
所定の発信先電話番号が、前記記憶した前記第１の緊急通報用電話番号と前記第２の緊急通報用電話番号を参照して、前記第１の通信方式の通信回線を使用する第１の緊急通報用電話番号に含まれず、なお且つ前記第２の通信方式の通信回線を使用する第２の緊急通報用電話番号に含まれると判定した場合には、前記所定の発信先電話番号に対して、前記第１の通信方式の通信回線を使用する発信処理を実行せずに前記第２の通信方式の通信回線を使用する発信処理を実行するステップと、を有する制御方法。
【請求項３】
第１の通信方式の通信回線又は第２の通信方式の通信回線によって、相手側通信装置との通話を行うための通信を実行する通信装置に、
前記第１の通信方式の通信回線を使用する第１の緊急通報用電話番号と前記第２の通信方式の通信回線を使用する第２の緊急通報用電話番号を記憶させ、
所定の発信先電話番号が、前記記憶させた前記第１の緊急通報用電話番号と前記第２の緊急通報用電話番号とを参照して、前記第１の通信方式の通信回線を使用する第１の緊急通報用電話番号に含まれず、なお且つ前記第２の通信方式の通信回線を使用する第２の緊急通報用電話番号に含まれると判定した場合、前記所定の発信先電話番号に対して、前記第１の通信方式の通信回線を使用する発信処理を実行せずに前記第２の通信方式の通信回線を使用する発信処理を実行させるプログラム。
【請求項４】
第１の通信方式の通信回線又は第２の通信方式の通信回線によって、相手側通信装置との通話を行うための通信を実行する通信部と、
前記第１の通信方式の通信回線を使用する第１の緊急通報用電話番号と前記第２の通信方式の通信回線を使用する第２の緊急通報用電話番号を記憶する記憶部と、
所定の発信先電話番号が、前記記憶部を参照して、前記第１の通信方式の通信回線を使用する第１の緊急通報用電話番号に含まれず、なお且つ前記第２の通信方式の通信回線を使用する第２の緊急通報用電話番号に含まれると判定した場合、前記所定の発信先電話番号に対して、前記第１の通信方式の通信回線を使用する発信処理を実行せずに前記第２の通信方式の通信回線を使用する発信処理を実行する制御部と、
を備える通信モジュール。
【請求項５】
第１の通信方式の通信回線又は第２の通信方式の通信回線によって、相手側通信装置との通話を行うための通信を通信部に実行させるコントローラであって、
所定の発信先電話番号と、記憶部に記憶させた前記第１の通信方式の通信回線を使用する第１の緊急通報用電話番号と第２の通信方式の通信回線を使用する第２の緊急通報用電話番号とを参照して、前記所定の発信先電話番号が、前記第１の通信方式の通信回線を使用する第１の緊急通報用電話番号に含まれず、なお且つ前記第２の通信方式の通信回線を使用する第２の緊急通報用電話番号に含まれると判定した場合、
前記所定の発信先電話番号に対して、前記第１の通信方式の通信回線を使用する発信を前記通信部に行わせずに前記第２の通信方式の通信回線を利用する発信を前記通信部に行わせる、
コントローラ。
【発明の詳細な説明】
【技術分野】
【０００１】
本出願は、通信装置、通信方法、及び通信プログラムに関する。特に、本出願は、タッチスクリーンを有する通信装置、その通信装置を制御する方法、及びその通信装置を制御するための通信プログラムに関する。
【背景技術】
【０００２】
通信装置としては、携帯電話機や、ＰＨＳ等の持ち運び可能な携帯電話機がある。このような通信装置としては、タッチスクリーンを備えるタッチスクリーンデバイスが知られている。タッチスクリーンデバイスは、例えば、スマートフォンを含むが、これらに限定されない。タッチスクリーンデバイスは、タッチスクリーンを介して指、ペン、又はスタイラスペンのジェスチャを検出する。そして、タッチスクリーンデバイスは、検出したジェスチャに従って動作する。検出したジェスチャに従った動作の例は、例えば、特許文献１に記載されている。
【０００３】
タッチスクリーンデバイスの基本的な動作は、デバイスに搭載されるＯＳ（Ｏｐｅｒａｔｉｎｇ  Ｓｙｓｔｅｍ）によって実現される。タッチスクリーンデバイスに搭載されるＯＳは、例えば、Ａｎｄｒｏｉｄ（登録商標）、ＢｌａｃｋＢｅｒｒｙ（登録商標）  ＯＳ、ｉＯＳ、Ｓｙｍｂｉａｎ（登録商標）  ＯＳ、及びＷｉｎｄｏｗｓ（登録商標）  Ｐｈｏｎｅを含むが、これらに限定されない。
【０００４】
ここで、通信装置の中には、契約した通信事業者により提供される通信ネットワークを利用して、他の端末との間で通話を含む通信を行うことができるものもある。このような通信装置の中には、通話を行う場合に、使用する通信回線を複数の通信回線の中から選択できるものがある。
【先行技術文献】
【特許文献】
【０００５】
【特許文献１】国際公開第２００８／０８６３０２号
【発明の概要】
【発明が解決しようとする課題】
【０００６】
ユーザは、使用する通信回線を複数の通信回線の中から選択可能な通信装置を用いる場合、１つの通信回線で通話を確立できなかった場合、他の通信回線で通話発信を行うことができる。しかしながら、ユーザは、電話をかけなおす必要があり作業が煩雑となる。
【０００７】
上記のことから、ユーザが使いやすい通信装置、通信方法、及び通信プログラムに対する必要性がある。
【課題を解決するための手段】
【０００８】
１つの態様に係る通信装置は、第１の電話番号または第２の電話番号によって通話を行う通信部と、所定の発信先電話番号が前記第１の電話番号による通話が不可能な電話番号である場合、前記所定の発信先電話番号に対して、前記第１の電話番号による発信処理をせずに前記第２の電話番号による発信処理を行う制御部と、を備える。
【００１０】
１つの態様に係る制御方法は、所定の発信先電話番号が第１の電話番号による通話が不可能な電話番号である場合、前記所定の発信先電話番号に対して、前記第１の電話番号による発信処理をせずに第２の電話番号による発信処理を行うステップを有する。
【００１１】
１つの態様に係るプログラムは、第１の電話番号または第２の電話番号によって通話を行う通信装置に、所定の発信先電話番号が前記第１の電話番号による通話が不可能な電話番号である場合、前記所定の発信先電話番号に対して、前記第１の電話番号による発信処理をせずに前記第２の電話番号による発信処理を行う機能を実行させる。
【００１２】
１つの態様に係る通信モジュールは、第１の電話番号または第２の電話番号によって通話を行う通信部と、所定の発信先電話番号が前記第１の電話番号による通話が不可能な電話番号である場合、前記所定の発信先電話番号に対して、前記第１の電話番号による発信処理をせずに前記第２の電話番号による発信処理を行う制御部と、を備える。
【００１３】
１つの態様に係るコントローラは、第１の電話番号または第２の電話番号によって通話を行う通信部を制御するコントローラであって、所定の発信先電話番号が前記第１の電話番号による通話が不可能な電話番号である場合、前記所定の発信先電話番号に対して、前記第１の電話番号による発信をせずに前記第２の電話番号による発信を前記通信部に行わせる。
【図面の簡単な説明】
【００１４】
【図１】図１は、実施形態に係るスマートフォンの斜視図である。
【図２】図２は、スマートフォンの正面図である。
【図３】図３は、スマートフォンの背面図である。
【図４】図４は、ホーム画面の例を示す図である。
【図５】図５は、スマートフォンのブロック図である。
【図６】図６は、ディスプレイに表示される通話設定インターフェースの一例を示す図である。
【図７】図７は、ＰＨＳ方式による通話に関する操作を受け付けるためのユーザーインターフェースの一例を示す図である。
【図８】図８は、３Ｇ方式による通話に関する操作を受け付けるためのユーザーインターフェースの一例を示す図である。
【図９】図９は、制御プログラムが提供する機能に基づく制御の例について説明するための図である。
【図１０】図１０は、制御プログラムが提供する機能に基づく制御の例について説明するための図である。
【図１１】図１１は、制御プログラムが提供する機能に基づく制御の処理手順の例を示す図である。
【図１２】図１２は、制御プログラムが提供する機能に基づく制御の例について説明するための図である。
【図１３】図１３は、制御プログラムが提供する機能に基づく制御の処理手順の例を示す図である。
【図１４】図１４は、制御プログラムが提供する機能に基づく制御の処理手順の例を示す図である。
【発明を実施するための形態】
【００１５】
本出願に係る通信装置、通信方法、及び通信プログラムを実施するための実施形態を、図面を参照しつつ詳細に説明する。以下では、タッチスクリーンを備える通信装置の例として、スマートフォンについて説明する。
【００１６】
（実施形態）
図１から図３を参照しながら、実施形態に係るスマートフォン１の全体的な構成について説明する。図１から図３に示すように、スマートフォン１は、ハウジング２０を有する。ハウジング２０は、フロントフェイス１Ａと、バックフェイス１Ｂと、サイドフェイス１Ｃ１〜１Ｃ４とを有する。フロントフェイス１Ａは、ハウジング２０の正面である。バックフェイス１Ｂは、ハウジング２０の背面である。サイドフェイス１Ｃ１〜１Ｃ４は、フロントフェイス１Ａとバックフェイス１Ｂとを接続する側面である。以下では、サイドフェイス１Ｃ１〜１Ｃ４を、どの面であるかを特定することなく、サイドフェイス１Ｃと総称することがある。
【００１７】
スマートフォン１は、タッチスクリーンディスプレイ２と、ボタン３Ａ〜３Ｃと、照度センサ４と、近接センサ５と、レシーバ７と、マイク８と、カメラ１２とをフロントフェイス１Ａに有する。スマートフォン１は、スピーカ１１と、カメラ１３とをバックフェイス１Ｂに有する。スマートフォン１は、ボタン３Ｄ〜３Ｆと、コネクタ１４とをサイドフェイス１Ｃに有する。以下では、ボタン３Ａ〜３Ｆを、どのボタンであるかを特定することなく、ボタン３と総称することがある。
【００１８】
タッチスクリーンディスプレイ２は、ディスプレイ２Ａと、タッチスクリーン２Ｂとを有する。図１の例では、ディスプレイ２Ａ及びタッチスクリーン２Ｂはそれぞれ略長方形状であるが、ディスプレイ２Ａ及びタッチスクリーン２Ｂの形状はこれに限定されない。ディスプレイ２Ａ及びタッチスクリーン２Ｂは、それぞれが正方形又は円形等のどのような形状もとりうる。図１の例では、ディスプレイ２Ａ及びタッチスクリーン２Ｂは重ねて配置されているが、ディスプレイ２Ａ及びタッチスクリーン２Ｂの配置はこれに限定されない。ディスプレイ２Ａ及びタッチスクリーン２Ｂは、例えば、並べて配置されてもよいし、離して配置されてもよい。図１の例では、ディスプレイ２Ａの長辺はタッチスクリーン２Ｂの長辺に沿っており、ディスプレイ２Ａの短辺はタッチスクリーン２Ｂの短辺に沿っているが、ディスプレイ２Ａ及びタッチスクリーン２Ｂの重ね方はこれに限定されない。ディスプレイ２Ａとタッチスクリーン２Ｂとが重ねて配置される場合、例えば、ディスプレイ２Ａの１ないし複数の辺がタッチスクリーン２Ｂのいずれの辺とも沿っていなくてもよい。
【００１９】
ディスプレイ２Ａは、液晶ディスプレイ（ＬＣＤ：Ｌｉｑｕｉｄ  Ｃｒｙｓｔａｌ  Ｄｉｓｐｌａｙ）、有機ＥＬディスプレイ（ＯＥＬＤ：Ｏｒｇａｎｉｃ  Ｅｌｅｃｔｒｏ−Ｌｕｍｉｎｅｓｃｅｎｃｅ  Ｄｉｓｐｌａｙ）、又は無機ＥＬディスプレイ（ＩＥＬＤ：Ｉｎｏｒｇａｎｉｃ  Ｅｌｅｃｔｒｏ−Ｌｕｍｉｎｅｓｃｅｎｃｅ  Ｄｉｓｐｌａｙ）等の表示デバイスを備える。ディスプレイ２Ａは、文字、画像、記号、及び図形等を表示する。
【００２０】
タッチスクリーン２Ｂは、タッチスクリーン２Ｂに対する指、ペン、又はスタイラスペン等の接触を検出する。タッチスクリーン２Ｂは、複数の指、ペン、又はスタイラスペン等がタッチスクリーン２Ｂに接触した位置を検出することができる。以下の説明では、タッチスクリーン２Ｂに対して接触する指、ペン、又はスタイラスペン等を、「接触オブジェクト（接触物）」と呼ぶことがある。
【００２１】
タッチスクリーン２Ｂの検出方式は、静電容量方式、抵抗膜方式、表面弾性波方式（又は超音波方式）、赤外線方式、電磁誘導方式、及び荷重検出方式等の任意の方式でよい。以下の説明では、説明を簡単にするため、利用者はスマートフォン１を操作するために指を用いてタッチスクリーン２Ｂに接触するものと想定する。
【００２２】
スマートフォン１は、タッチスクリーン２Ｂにより検出された接触、接触が検出された位置、接触が検出された位置の変化、接触が検出された間隔、及び接触が検出された回数の少なくとも１つに基づいてジェスチャの種別を判別する。ジェスチャは、タッチスクリーン２Ｂに対して行われる操作である。スマートフォン１によって判別されるジェスチャは、例えば、タッチ、ロングタッチ、リリース、スワイプ、タップ、ダブルタップ、ロングタップ、ドラッグ、フリック、ピンチイン、及びピンチアウトを含むがこれらに限定されない。
【００２３】
「タッチ」は、タッチスクリーン２Ｂに指が触れるジェスチャである。スマートフォン１は、タッチスクリーン２Ｂに指が接触するジェスチャをタッチとして判別する。「ロングタッチ」は、タッチスクリーン２Ｂに指が一定時間より長く触れるジェスチャである。スマートフォン１は、タッチスクリーン２Ｂに指が一定時間より長く接触するジェスチャをロングタッチとして判別する。
【００２４】
「リリース」は、指がタッチスクリーン２Ｂから離れるジェスチャである。スマートフォン１は、指がタッチスクリーン２Ｂから離れるジェスチャをリリースとして判別する。「スワイプ」は、指がタッチスクリーン２Ｂに接触したままで移動するジェスチャである。スマートフォン１は、指がタッチスクリーン２Ｂに接触したままで移動するジェスチャをスワイプとして判別する。
【００２５】
「タップ」は、タッチに続いてリリースをするジェスチャである。スマートフォン１は、タッチに続いてリリースをするジェスチャをタップとして判別する。「ダブルタップ」は、タッチに続いてリリースをするジェスチャが２回連続するジェスチャである。スマートフォン１は、タッチに続いてリリースをするジェスチャが２回連続するジェスチャをダブルタップとして判別する。
【００２６】
「ロングタップ」は、ロングタッチに続いてリリースをするジェスチャである。スマートフォン１は、ロングタッチに続いてリリースをするジェスチャをロングタップとして判別する。「ドラッグ」は、移動可能なオブジェクトが表示されている領域を始点としてスワイプをするジェスチャである。スマートフォン１は、移動可能なオブジェクトが表示されている領域を始点としてスワイプをするジェスチャをドラッグとして判別する。
【００２７】
「フリック」は、指が、タッチスクリーン２Ｂに触れた後移動しながらタッチスクリーン２Ｂから離れるジェスチャである。すなわち、「フリック」は、タッチに続いて指が移動しながらリリースが行われるジェスチャである。スマートフォン１は、指が、タッチスクリーン２Ｂに触れた後移動しながらタッチスクリーン２Ｂから離れるジェスチャをフリックとして判別する。フリックは、指が一方方向へ移動しながら行われることが多い。フリックは、指が画面の上方向へ移動する「上フリック」、指が画面の下方向へ移動する「下フリック」、指が画面の右方向へ移動する「右フリック」、指が画面の左方向へ移動する「左フリック」等を含む。フリックにおける指の移動は、スワイプにおける指の移動よりも素早いことが多い。
【００２８】
「ピンチイン」は、複数の指が互いに近付く方向にスワイプするジェスチャである。スマートフォン１は、タッチスクリーン２Ｂにより検出されるある指の位置と他の指の位置との間の距離が短くなるジェスチャをピンチインとして判別する。「ピンチアウト」は、複数の指が互いに遠ざかる方向にスワイプするジェスチャである。スマートフォン１は、タッチスクリーン２Ｂにより検出されるある指の位置と他の指の位置との間の距離が長くなるジェスチャをピンチアウトとして判別する。
【００２９】
本実施形態では、１本の指により行われるジェスチャを「シングルタッチジェスチャ」と呼ぶことがある。本実施形態では、２本以上の指により行われるジェスチャを「マルチタッチジェスチャ」と呼ぶことがある。ピンチインおよびピンチアウトは、マルチタッチジェスチャである。タップ、フリックおよびスワイプ等は、１本の指で行われればシングルタッチジェスチャであり、２本以上の指で行われればマルチタッチジェスチャである。
【００３０】
スマートフォン１は、タッチスクリーン２Ｂを介して判別するこれらのジェスチャに従って動作を行う。このため、利用者にとって直感的で使いやすい操作性が実現される。判別されるジェスチャに従ってスマートフォン１が行う動作は、ディスプレイ２Ａに表示されている画面に応じて異なることがある。以下の説明では、説明を簡単にするために、「タッチスクリーン２Ｂがジェスチャを検出し、検出されたジェスチャの種別をスマートフォン１がＸと判別すること」を、「スマートフォン１がＸを検出する」、又は「コントローラがＸを検出する」と記載することがある。
【００３１】
図４を参照しながら、ディスプレイ２Ａに表示される画面の例について説明する。図４は、ホーム画面の例を示している。ホーム画面は、デスクトップ、待受画面、アイドル画面又は標準画面と呼ばれることもある。ホーム画面は、ディスプレイ２Ａに表示される。ホーム画面は、スマートフォン１にインストールされているアプリケーションのうち、どのアプリケーションを実行するかを利用者に選択させる画面である。スマートフォン１は、ホーム画面で選択されたアプリケーションをフォアグランドで実行する。フォアグランドで実行されるアプリケーションの画面は、ディスプレイ２Ａに表示される。
【００３２】
スマートフォン１は、ホーム画面にアイコンを配置することができる。図４に示すホーム画面４０には、複数のアイコン５０が配置されている。それぞれのアイコン５０は、スマートフォン１にインストールされているアプリケーションと予め対応付けられている。スマートフォン１は、アイコン５０に対するジェスチャを検出すると、ジェスチャが検出されたアイコン５０に対応付けられているアプリケーションを実行する。例えば、スマートフォン１は、メールアプリケーションに対応付けられたアイコン５０に対するタップが検出されると、メールアプリケーションを実行する。
【００３３】
アイコン５０は、画像と文字列を含む。アイコン５０は、画像に代えて、記号又は図形を含んでもよい。アイコン５０は、画像又は文字列のいずれか一方を含まなくてもよい。アイコン５０は、配置パターンに基づいて配置される。アイコン５０の背後には、壁紙４１が表示される。壁紙は、フォトスクリーン、バックスクリーン、アイドル画像又は背景画像と呼ばれることもある。スマートフォン１は、任意の画像を壁紙４１として用いることができる。スマートフォン１は、壁紙４１として表示する画像を利用者が選択できるように構成されてもよい。
【００３４】
スマートフォン１は、複数のホーム画面を有していてよい。スマートフォン１は、例えば、ホーム画面の数を利用者による設定に従って決定する。スマートフォン１は、ホーム画面の数が複数であっても、選択された１つをディスプレイ２Ａに表示する。
【００３５】
スマートフォン１は、ディスプレイ２Ａに表示するホーム画面を変更することができる。スマートフォン１は、ホーム画面の１つを表示中にジェスチャが検出されると、ディスプレイ２Ａに表示するホーム画面を別のホーム画面に変更する。例えば、スマートフォン１は、右フリックを検出すると、ディスプレイ２Ａに表示するホーム画面を１つ左のホーム画面に変更する。例えば、スマートフォン１は、左フリックを検出すると、ディスプレイ２Ａに表示するホーム画面を１つ右のホーム画面に変更する。スマートフォン１は、第１のホーム画面をディスプレイ２Ａに表示中にジェスチャが検出されると、ディスプレイ２Ａに表示される第１のホーム画面の面積が徐々に狭くなり、ディスプレイ２Ａに表示される第２のホーム画面の面積が徐々に広くなるようにディスプレイ２Ａに表示するホーム画面を第１のホーム画面から第２のホーム画面へ変更する。スマートフォン１は、第１のホーム画面が第２のホーム画面に即座に置き換わるようにホーム画面を切り替えてもよい。
【００３６】
ディスプレイ２Ａの上端には、領域４２が設けられている。領域４２には、電源の残量を示す残量マーク４３、ＰＨＳ通信用の電波の電界強度を示す電波レベルマーク４４ａ、および、３Ｇ通信用の電波の電界強度を示す電波レベルマーク４４ｂが表示される。スマートフォン１は、領域４２に、時刻、天気、実行中のアプリケーション、通信システムの種別、電話のステータス、装置のモード、装置に生じたイベント等を表示してもよい。このように、領域４２は、利用者に対して各種の通知を行うために用いられる。領域４２は、ホーム画面４０以外の画面でも設けられることがある。領域４２が設けられる位置は、ディスプレイ２Ａの上端に限定されない。
【００３７】
ディスプレイ２Ａに表示される画面の上下方向について説明する。以下の説明では、タッチスクリーンディスプレイ２の長手方向において領域４２に近い側が上側であり、領域４２から遠い側が下側である。そして、領域４２において電波レベルマーク４４ａ，４４ｂが表示されている側が右側であり、領域４２において残量マーク４３が表示されている側が左側である。
【００３８】
図４に示したホーム画面４０は、例であり、各種の要素の形態、各種の要素の配置、ホーム画面４０の数、及びホーム画面４０での各種の操作の仕方等は上記の説明の通りでなくてもよい。
【００３９】
図５は、スマートフォン１のブロック図である。スマートフォン１は、タッチスクリーンディスプレイ２と、ボタン３と、照度センサ４と、近接センサ５と、第１通信ユニット６Ａ及び第２通信ユニット６Ｂと、レシーバ７と、マイク８と、ストレージ９と、コントローラ１０と、スピーカ１１と、カメラ１２及び１３と、コネクタ１４と、加速度センサ１５と、方位センサ１６と、ジャイロスコープ１７と、発光部１８と、バイブレータ１９とを有する。
【００４０】
タッチスクリーンディスプレイ２は、上述したように、ディスプレイ２Ａと、タッチスクリーン２Ｂとを有する。ディスプレイ２Ａは、文字、画像、記号、又は図形等を表示する。タッチスクリーン２Ｂは、ジェスチャを検出する。
【００４１】
ボタン３は、利用者によって操作される。ボタン３は、ボタン３Ａ〜ボタン３Ｆを有する。コントローラ１０はボタン３と協働することによってボタン３に対する操作を検出する。ボタン３に対する操作は、例えば、クリック、ダブルクリック、トリプルクリック、プッシュ、及びマルチプッシュを含むが、これらに限定されない。
【００４２】
ボタン３Ａ〜３Ｃは、例えば、ホームボタン、バックボタンまたはメニューボタンである。ボタン３Ｄは、例えば、スマートフォン１のパワーオン／オフボタンである。ボタン３Ｄは、スリープ／スリープ解除ボタンを兼ねてもよい。ボタン３Ｅ及び３Ｆは、例えば、音量ボタンである。
【００４３】
照度センサ４は、スマートフォン１の周囲光の照度を検出する。照度は、光の強さ、明るさ、又は輝度を示す。照度センサ４は、例えば、ディスプレイ２Ａの輝度の調整に用いられる。近接センサ５は、近隣の物体の存在を非接触で検出する。近接センサ５は、磁界の変化または超音波の反射波の帰還時間の変化等に基づいて物体の存在を検出する。近接センサ５は、例えば、タッチスクリーンディスプレイ２が顔に近付けられたことを検出する。照度センサ４及び近接センサ５は、１つのセンサとして構成されていてもよい。照度センサ４は、近接センサとして用いられてもよい。
【００４４】
第１通信ユニット６Ａ及び第２通信ユニット６Ｂは、無線により通信する通信部である。第１通信ユニット６Ａ及び第２通信ユニット６Ｂによってサポートされる通信方式は、無線通信規格である。本実施形態において、第１通信ユニット６Ａは、第１の通信方式を用いて通信を行う第１の通信手段であり、第１の通信方式として、少なくとも、ＰＨＳ（Ｐｅｒｓｏｎａｌ  Ｈａｎｄｙ−ｐｈｏｎｅ  Ｓｙｓｔｅｍ）でサポートされる。第２通信ユニット６Ｂは、第２の通信方式を用いて通信を行う第２の通信手段であり、第２の通信方式として、３Ｇの通信規格でサポートされる。具体的には、第２通信ユニット６Ｂは、少なくとも、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、の１つ又は複数をサポートする。なお、無線通信規格として、上記に限定されず、例えば、２Ｇ、４Ｇ等のセルラーフォンの通信規格がある。セルラーフォンの通信規格として、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。無線通信規格として、さらに、例えば、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＩＥＥＥ８０２．１１、Ｂｌｕｅｔｏｏｔｈ（登録商標）、ＩｒＤＡ（Ｉｎｆｒａｒｅｄ  Ｄａｔａ  Ａｓｓｏｃｉａｔｉｏｎ）、ＮＦＣ（Ｎｅａｒ  Ｆｉｅｌｄ  Ｃｏｍｍｕｎｉｃａｔｉｏｎ）等がある。
【００４５】
レシーバ７及びスピーカ１１は、音出力部である。レシーバ７及びスピーカ１１は、コントローラ１０から送信される音信号を音として出力する。レシーバ７は、例えば、通話時に相手の声を出力するために用いられる。スピーカ１１は、例えば、着信音及び音楽を出力するために用いられる。レシーバ７及びスピーカ１１の一方が、他方の機能を兼ねてもよい。マイク８は、音入力部である。マイク８は、利用者の音声等を音信号へ変換してコントローラ１０へ送信する。
【００４６】
ストレージ９は、プログラム及びデータを記憶する。ストレージ９は、コントローラ１０の処理結果を一時的に記憶する作業領域としても利用される。ストレージ９は、半導体記憶媒体、及び磁気記憶媒体等の任意の非一過的（ｎｏｎ−ｔｒａｎｓｉｔｏｒｙ）な記憶媒体を含んでよい。ストレージ９は、複数の種類の記憶媒体を含んでよい。ストレージ９は、メモリカード、光ディスク、又は光磁気ディスク等の可搬の記憶媒体と、記憶媒体の読み取り装置との組み合わせを含んでよい。ストレージ９は、ＲＡＭ（Ｒａｎｄｏｍ  Ａｃｃｅｓｓ  Ｍｅｍｏｒｙ）等の一時的な記憶領域として利用される記憶デバイスを含んでよい。
【００４７】
ストレージ９に記憶されるプログラムには、フォアグランド又はバックグランドで実行されるアプリケーションと、アプリケーションの動作を支援する制御プログラムとが含まれる。アプリケーションは、例えば、ディスプレイ２Ａに画面を表示させ、タッチスクリーン２Ｂによって検出されるジェスチャに応じた処理をコントローラ１０に実行させる。制御プログラムは、例えば、ＯＳである。アプリケーション及び制御プログラムは、第１通信ユニット６Ａ及び第２通信ユニット６Ｂによる無線通信又は非一過的な記憶媒体を介してストレージ９にインストールされてもよい。
【００４８】
ストレージ９は、例えば、制御プログラム９Ａ、メールアプリケーション９Ｂ、ブラウザアプリケーション９Ｃ、ナビゲートアプリケーション９Ｄ、音楽プレイヤーアプリケーション９Ｅ、カレンダーアプリケーション９Ｆ、計算機アプリケーション９Ｇ、及び設定データ９Ｚを記憶する。メールアプリケーション９Ｂは、電子メールの作成、送信、受信、及び表示等のための電子メール機能を提供する。ブラウザアプリケーション９Ｃは、ＷＥＢページを表示するためのＷＥＢブラウジング機能を提供する。ナビゲートアプリケーション９Ｄは、道案内等のためのナビゲーション機能を提供する。音楽プレイヤーアプリケーション９Ｅは、音楽を再生し、レシーバ７またはスピーカ１１から出力するためのプレイヤー機能を提供する。カレンダーアプリケーション９Ｆは、スケジュール管理等のためのカレンダー機能を提供する。計算機アプリケーション９Ｇは、例えば四則演算を行うための計算機機能を提供する。
【００４９】
設定データ９Ｚは、スマートフォン１の動作に関する各種の設定に関する情報を含む。例えば、設定データ９Ｚは、第１通信ユニット６Ａなどを制御することによって第１の通信方式を利用して実現される通話、又は第２通信ユニット６Ｂなどを制御することによって第２の通信方式を利用して実現される通話のいずれを行うかの設定に関する情報などを含む。以下では、説明の便宜上、第１通信ユニット６Ａなどを制御することによって第１の通信方式を利用して実現される発信処理を「ＰＨＳ発信」と表記し、第１通信ユニット６Ａなどを制御することによって第１の通信方式を利用して実現される通話を「ＰＨＳ方式を利用する通話」と表記する。また、第２通信ユニット６Ｂなどを制御することによって第２の通信方式を利用して実現される発信処理を「３Ｇ発信」と表記し、第２通信ユニット６Ｂなどを制御することによって第２の通信方式を利用して実現される通話を「３Ｇ方式を利用する通話」と表記する。
【００５０】
本実施形態において、設定データ９Ｚは、第１通信ユニット６ＡがＰＨＳ発信できる緊急通報用電話番号、又は第２通信ユニット６Ｂが３Ｇ発信できる緊急通報用電話番号の設定に関する情報を含む。例えば、ＰＨＳ発信できる緊急通報用電話番号は、日本国内で利用可能な警察への緊急通報用電話番号である「１１０」、海上保安庁への緊急通報用電話番号である「１１８」、救急・消防への緊急通報用電話番号である「１１９」等が挙げられる。３Ｇ発信できる緊急通報用電話番号は、日本国内で利用可能な「１１０」、「１１８」、「１１９」の他、海外諸国で利用可能な警察・救急・消防等の緊急通報番号として「０００」、「０８」、「１１２」、「９１１」、「９９９」等が挙げられる。設定データ９Ｚは、第１通信ユニット６ＡがＰＨＳ発信する際に電話番号に付加可能な特別番号、又は第２通信ユニット６Ｂが３Ｇ発信する際に電話番号に付加可能な特別番号の設定に関する情報を含む。例えば、ＰＨＳ発信における特別番号は、日本国内で利用可能な発信者番号非通知で通信する際に付ける電話番号である「１８４」、発信者番号通知で通信する際に付ける電話番号である「１８６」等が挙げられる。３Ｇ発信における特別番号は、日本国内で利用可能な「１８４）」、「１８６」の他、海外諸国で利用可能な「＊３１＃」、「＃３１＃」等が挙げられる。
【００５１】
制御プログラム９Ａは、スマートフォン１を稼働させるための各種制御に関する機能を提供する。制御プログラム９Ａは、例えば、第１通信ユニット６Ａ及び第２通信ユニット６Ｂ、レシーバ７、及びマイク８等を制御することによって、通話を実現させる。制御プログラム９Ａが提供する機能には、タッチスクリーン２Ｂを介して検出されたジェスチャに応じて、ディスプレイ２Ａに表示されている情報を変更する等の各種制御を行う機能が含まれる。制御プログラム９Ａが提供する機能は、メールアプリケーション９Ｂ等の他のプログラムが提供する機能と組み合わせて利用されることがある。制御プログラム９Ａが提供する機能には、第１の通信方式による通話が不能の場合、第２の通信方式による通話発信を通信部に行わせる機能が含まれる。例えば、制御プログラム９Ａが提供する機能には、緊急通報時に第１の通信方式による通話が不能の場合、第１の通信方式から第２の通信方式へ切り替えて、第２の通信方式による通話発信を通信部に行わせる機能が含まれる。本実施形態において、通話が不能の場合とは、受信している電波が閾値以下である場合をいう。制御プログラム９Ａが提供する機能には、通信方式を切り替える前に、切り替えの可否を問い合わせる画面をディスプレイ２Ａに表示させる機能が含まれる。この他、制御プログラム９Ａが提供する機能には、ＰＨＳ方式と３Ｇ方式とを切り替える操作を受け付けるユーザーインターフェースを提供する機能が含まれる。制御プログラム９Ａが提供する機能には、ＰＨＳ回線による通話に関する操作を受け付けるためのユーザーインターフェースを提供する機能が含まれる。制御プログラム９Ａが提供する機能には、３Ｇ回線による通話に関する操作を受け付けるためのユーザーインターフェースを提供する機能が含まれる。
【００５２】
コントローラ１０は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。コントローラ１０は、スマートフォン１の動作を統括的に制御して各種の機能を実現する。
【００５３】
具体的には、コントローラ１０は、ストレージ９に記憶されているデータを必要に応じて参照しつつ、ストレージ９に記憶されているプログラムに含まれる命令を実行する。そして、コントローラ１０は、データ及び命令に応じて機能部を制御し、それによって各種機能を実現する。機能部は、例えば、ディスプレイ２Ａ、第１通信ユニット６Ａ及び第２通信ユニット６Ｂ、マイク８、及びスピーカ１１を含むが、これらに限定されない。コントローラ１０は、検出部の検出結果に応じて、制御を変更することがある。検出部は、例えば、タッチスクリーン２Ｂ、ボタン３、照度センサ４、近接センサ５、レシーバ７、カメラ１２、カメラ１３、加速度センサ１５、方位センサ１６、及びジャイロスコープ１７を含むが、これらに限定されない。
【００５４】
コントローラ１０は、例えば、制御プログラム９Ａを実行することにより、第１の通信方式による通話が不能の場合、第２の通信方式による通話発信を通信部に行わせる等の各種制御を実行する。コントローラ１０は、例えば、緊急通報時に第１の通信方式による通話が不能の場合、第１の通信方式から第２の通信方式へ切り替えて、第２の通信方式による通話発信を通信部に行わせる等の各種制御を実行する。
【００５５】
カメラ１２は、フロントフェイス１Ａに面している物体を撮影するインカメラである。カメラ１３は、バックフェイス１Ｂに面している物体を撮影するアウトカメラである。
【００５６】
コネクタ１４は、他の装置が接続される端子である。コネクタ１４は、ＵＳＢ（Ｕｎｉｖｅｒｓａｌ  Ｓｅｒｉａｌ  Ｂｕｓ）、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）、ライトピーク（サンダーボルト（登録商標））、イヤホンマイクコネクタのような汎用的な端子であってもよい。コネクタ１４は、Ｄｏｃｋコネクタのような専用の端子でもよい。コネクタ１４に接続される装置は、例えば、外部ストレージ、スピーカ、及び通信装置を含むが、これらに限定されない。
【００５７】
加速度センサ１５は、スマートフォン１に働く加速度の方向及び大きさを検出する。方位センサ１６は、地磁気の向きを検出する。ジャイロスコープ１７は、スマートフォン１の角度及び角速度を検出する。加速度センサ１５、方位センサ１６及びジャイロスコープ１７の検出結果は、スマートフォン１の位置及び姿勢の変化を検出するために、組み合わせて利用される。発光部１８は、例えば、ＬＥＤ（Ｌｉｇｈｔ  Ｅｍｉｔｔｉｎｇ  Ｄｉｏｄｅ）であり、複数の色で発光する。バイブレータ１９は、振動するモーターである。
【００５８】
図５においてストレージ９が記憶するプログラム及びデータの一部又は全部は、第１通信ユニット６Ａ及び第２通信ユニット６Ｂによる無線通信で他の装置からダウンロードされてもよい。図５においてストレージ９が記憶するプログラム及びデータの一部又は全部は、ストレージ９に含まれる読み取り装置が読み取り可能な非一過的な記憶媒体に記憶されていてもよい。図５においてストレージ９が記憶するプログラム及びデータの一部又は全部は、コネクタ１４に接続される読み取り装置が読み取り可能な非一過的な記憶媒体に記憶されていてもよい。非一過的な記憶媒体は、例えば、ＣＤ（登録商標）、ＤＶＤ（登録商標）、Ｂｌｕ−ｒａｙ（登録商標）等の光ディスク、光磁気ディスク、磁気記憶媒体、メモリカード、及びソリッドステート記憶媒体を含むが、これらに限定されない。
【００５９】
図５に示したスマートフォン１の構成は例であり、本発明の要旨を損なわない範囲において適宜変更してよい。例えば、ボタン３の数と種類は図５の例に限定されない。スマートフォン１は、画面に関する操作のためのボタンとして、ボタン３Ａ〜３Ｃに代えて、テンキー配列又はＱＷＥＲＴＹ配列等のボタンを備えていてもよい。スマートフォン１は、画面に関する操作のために、ボタンを１つだけ備えてもよいし、ボタンを備えなくてもよい。図５に示した例では、スマートフォン１が２つのカメラを備えるが、スマートフォン１は、１つのカメラのみを備えてもよいし、カメラを備えなくてもよい。図５に示した例では、スマートフォン１が位置及び姿勢を検出するために３種類のセンサを備えるが、スマートフォン１は、このうちいくつかのセンサを備えなくてもよい。あるいは、スマートフォン１は、位置及び姿勢の少なくとも１つを検出するための他の種類のセンサを備えてもよい。
【００６０】
図６に、ディスプレイ２Ａに表示される通話設定インターフェースの一例を示す。図６に示す通話設定インターフェース４５をユーザが操作することにより、ＰＨＳ方式か、３Ｇ方式の通信方式が設定される。図６では、通話設定インターフェース４５上の通信方式の選択項目のうちＰＨＳと表記された箇所の色が反転した状態となっており、通話に使用する通信方式としてＰＨＳ方式が設定されている例を示している。図６に示す通話設定インターフェース４５をユーザが操作することにより、設定された通信方式による通信が不能の場合に通信可能な通信方式へ自動で切り替える際に確認通知を表示させるか否かを設定できる。図６では、通話設定インターフェース４５上の確認表示の選択項目のうちＯＮと表記された箇所の色が反転した状態となっており、通信方式を切り替える際に確認通知を行うよう設定されている例を示している。通話設定インターフェース４５の設定に関する情報は、ストレージ９に記憶されている設定データ９Ｚに含まれる。
【００６１】
図７に、ＰＨＳ方式による通話に関する操作を受け付けるためのユーザーインターフェースの一例を示す。図７に示すように、ＰＨＳ方式による通話に関する操作を受け付けるためのユーザーインターフェース４６は、ＳＭＳ（Ｓｈｏｒｔ  Ｍｅｓｓａｇｅ  Ｓｅｒｖｉｃｅ）、電話帳、キーパッド、発着信履歴などの各種機能に対応する操作部を有する。図７は、ディスプレイ２Ａにキーパッドが表示されている例であり、発信操作を行うための操作部４６ａの画像が「発信（ＰＨＳ）」となっている。図７に示すユーザーインターフェース４６は、通信方式として通話設定インターフェース４５上でＰＨＳ方式が設定されている場合に、通話機能に対応するアイコンに対する操作に伴ってディスプレイ２Ａに表示される。
【００６２】
図８に、３Ｇ方式による通話に関する操作を受け付けるためのユーザーインターフェースの一例を示す。図８に示すように、３Ｇ方式による通話に関する操作を受け付けるためのユーザーインターフェース４７は、ＳＭＳ、電話帳、キーパッド、発着信履歴などの各種機能に対応する操作部を有する。図８では、ディスプレイ２Ａにキーパッドが表示されている例であり、発信操作を行うための操作部４７ａの画像が「発信（３Ｇ）」となっている。図８に示すユーザーインターフェース４７は、通信方式として通話設定インターフェース４５上で３Ｇ方式が設定されている場合に、通話機能に対応するアイコンに対する操作に伴ってディスプレイ２Ａに表示される。
【００６３】
図７に示すユーザーインターフェース４６と、図８に示すユーザーインターフェース４７は、基本的には同様の構成を有しており、発信種別に応じて、キーパッド上の発信ボタンの画像が変更される点だけが異なる。
【００６４】
図９を参照しながら、制御プログラム９Ａが提供する機能に基づく制御の例について説明する。図９は、スマートフォン１が、ＰＨＳ方式の通信回線を使用してＰＨＳ方式及び３Ｇ方式で使用可能な緊急通報用電話番号（図９において、「１１９」）へ発信する際、ＰＨＳ方式の通信回線が圏外である場合に、３Ｇ方式の通信回線に切り替えて緊急通報を行う制御の例を示している。以下の図９では、通信方式としてＰＨＳ方式が予め設定されている場合の制御について説明する。
【００６５】
図９に示すステップＳ１１は、ディスプレイ２Ａに、ＰＨＳ方式による通話に関する操作を受け付けるためのユーザーインターフェース４６がディスプレイ２Ａに表示された状態を示している。ステップＳ１１および以下のステップＳ１２〜Ｓ１５において、ユーザーインターフェース４６の領域４２上の電波レベルマーク４４ａは、ＰＨＳ方式での通信用の電波の電界強度が弱く圏外であることを示している。スマートフォン１は、例えば、通話機能に対応するアイコンに対する操作が行われると、ステップＳ１１に示すように、第１通信ユニット６Ａを起動し、ディスプレイ２Ａにユーザーインターフェース４６を表示させる。
【００６６】
図９に示すステップＳ１２は、ユーザの指Ｆ１によりユーザーインターフェース４６上のキーパッドに対する操作が行われてＰＨＳ方式および３Ｇ方式で使用可能な緊急通報用電話番号として「１１９」が入力された状態を示している。スマートフォン１は、ステップＳ１２に示すように、タッチスクリーン２Ｂにより、ユーザーインターフェース４６上のキーパッドの「１」と表記された箇所、「１」と表記された箇所、「９」と表記された箇所へのタッチがこの順番で検出されると、入力された緊急通報用電話番号「１１９」をユーザーインターフェース４６上に表示させる。
【００６７】
図９に示すステップＳ１３は、ユーザの指Ｆ１が、ＰＨＳ発信操作を行うための操作部４６ａに対応する「発信（ＰＨＳ）」と表記された箇所にタッチしている状態を示している。スマートフォン１は、ステップＳ１３に示すように、タッチスクリーン２Ｂにより、ユーザーインターフェース４６上のキーパッドの「発信（ＰＨＳ）」と表記された箇所へのタッチが検出されると、第１通信ユニット６Ａで受信しているＰＨＳ方式での通信用の電波が閾値以下であるか否かを確認する。
【００６８】
図９に示すステップＳ１４は、ＰＨＳ方式による通話が圏外であるため通信可能な３Ｇ方式に通信方式を切り替えるかを問い合わせるメッセージ（図９において、「ＰＨＳは圏外です。３Ｇに切り替えますか？」とのメッセージ）が表示されるとともに、通信可能な３Ｇ方式の通信方式へ切り替える操作を受け付けるための確認通知４６ｂが表示された、ＰＨＳ発信操作直後の状態を示している。スマートフォン１は、ＰＨＳ方式での通信用の電波が閾値以下である場合、第２通信ユニット６Ｂを起動し、３Ｇ方式での通信用の電波が閾値より大きいことを確認した上で、ステップＳ１４に示すように、ユーザーインターフェース４６上に確認通知４６ｂを表示させる。
【００６９】
図９に示すステップＳ１５は、ユーザの指Ｆ１が、３Ｇ方式へ切り替えるための操作部に対応する確認通知４６ｂ上の「ＯＫ」と表記された箇所にタッチしている状態を示している。スマートフォン１は、ステップＳ１５に示すように、タッチスクリーン２Ｂにより、確認通知４６ｂ上の「ＯＫ」と表記されている箇所へのタッチが検出されると、３Ｇ方式への切り替えが許可されたものと判定する。これとは反対に、スマートフォン１は、確認通知４６ｂ上の「キャンセル」と表記されている箇所への操作が検出されると、３Ｇ方式への切り替えが許可されなかったものと判定する。
【００７０】
図９に示すステップＳ１６は、通信可能な３Ｇ方式の通信方式へ切り替えて「１１９」の緊急通報用電話番号へ３Ｇ発信中であることを示している３Ｇ発信中画面６０ａがディスプレイ２Ａに表示された、通信方式切替操作直後の状態を示している。ステップＳ１６において、３Ｇ発信中画面６０ａの領域４２上の電波レベルマーク４４ｂは、３Ｇ方式での通信用の電波の電界強度が強く圏内であることを示している。スマートフォン１は、３Ｇ方式への切り替えが許可されたものと判定した場合、通信方式をＰＨＳ方式から３Ｇ方式へと切り替えて、ストレージ９の設定データ９Ｚに記憶されている通信方式に関する情報を、ＰＨＳ方式から３Ｇ方式に更新する。そして、スマートフォン１は、ステップＳ１６に示すように、第２通信ユニット６Ｂを制御して、３Ｇ方式の通信回線を使用して緊急通報用電話番号「１１９」へ３Ｇ発信し、ディスプレイ２Ａに３Ｇ発信中画面６０ａを表示させる。
【００７１】
図１０を参照しながら、制御プログラム９Ａが提供する機能に基づく制御の例について説明する。図１０は、スマートフォン１が、ＰＨＳ方式の通信回線を使用して３Ｇ方式でのみ使用可能な緊急通報用電話番号（図９において、「９１１」）へ発信する際、ＰＨＳ方式の通信回線が圏外である場合に、３Ｇ方式の通信回線に切り替えて緊急通報を行う制御の例を示している。以下の図１０では、通信方式としてＰＨＳ方式が予め設定されている場合の制御について説明する。
【００７２】
図１０に示す制御の例と、図９に示した制御の例は、基本的に同様の制御を行っており、図１０では、ＰＨＳ方式では使用できず３Ｇ方式でのみ使用可能な緊急通報用電話番号「９１１」が入力される点だけが図９とは異なる。
【００７３】
図１０に示すステップＳ２１は、ディスプレイ２Ａに、ＰＨＳ方式による通話に関する操作を受け付けるためのユーザーインターフェース４６がディスプレイ２Ａに表示された状態を示している。ステップＳ２１および以下のステップＳ２２〜Ｓ２５において、ユーザーインターフェース４６の領域４２上の電波レベルマーク４４ａは、ＰＨＳ方式での通信用の電波の電界強度が弱く圏外であることを示している。スマートフォン１は、例えば、通話機能に対応するアイコンに対する操作が行われると、ステップＳ２１に示すように、第１通信ユニット６Ａを起動し、ディスプレイ２Ａにユーザーインターフェース４６を表示させる。
【００７４】
図１０に示すステップＳ２２は、ユーザの指Ｆ１によりユーザーインターフェース４６上のキーパッドに対する操作が行われて３Ｇ方式でのみ使用可能な緊急通報用電話番号として「９１１」が入力された状態を示している。スマートフォン１は、ステップＳ２２に示すように、タッチスクリーン２Ｂにより、ユーザーインターフェース４６上のキーパッドの「９」と表記された箇所、「１」と表記された箇所、「１」と表記された箇所へのタッチがこの順番で検出されると、入力された緊急通報用電話番号「９１１」をユーザーインターフェース４６上に表示させる。
【００７５】
図１０に示すステップＳ２３は、ユーザの指Ｆ１が、ＰＨＳ発信操作を行うための操作部４６ａに対応する「発信（ＰＨＳ）」と表記された箇所にタッチしている状態を示している。スマートフォン１は、ステップＳ２３に示すように、タッチスクリーン２Ｂにより、ユーザーインターフェース４６上のキーパッドの「発信（ＰＨＳ）」と表記された箇所へのタッチが検出されると、第１通信ユニット６Ａで受信しているＰＨＳ方式での通信用の電波が閾値以下であるか否かを確認する。
【００７６】
図１０に示すステップＳ２４は、ＰＨＳ方式による通話が圏外であるため通信可能な３Ｇ方式に通信方式を切り替えるかを問い合わせるメッセージ（図１０において、「ＰＨＳは圏外です。３Ｇに切り替えますか？」とのメッセージ）が表示されるとともに、通信可能な３Ｇ方式の通信方式へ切り替える操作を受け付けるための確認通知４６ｂが表示された、ＰＨＳ発信操作直後の状態を示している。スマートフォン１は、ＰＨＳ方式での通信用の電波が閾値以下である場合、第２通信ユニット６Ｂを起動し、３Ｇ方式での通信用の電波が閾値より大きいことを確認した上で、ステップＳ２４に示すように、ユーザーインターフェース４６上に確認通知４６ｂを表示させる。
【００７７】
図１０に示すステップＳ２５は、ユーザの指Ｆ１が、３Ｇ方式へ切り替えるための操作部に対応する確認通知４６ｂ上の「ＯＫ」と表記された箇所にタッチしている状態を示している。スマートフォン１は、ステップＳ２５に示すように、タッチスクリーン２Ｂにより、確認通知４６ｂ上の「ＯＫ」と表記されている箇所へのタッチが検出されると、３Ｇ方式への切り替えが許可されたものと判定する。これとは反対に、スマートフォン１は、確認通知４６ｂ上の「キャンセル」と表記されている箇所への操作が検出されると、３Ｇ方式への切り替えが許可されなかったものと判定する。
【００７８】
図１０に示すステップＳ２６は、通信可能な３Ｇ方式の通信方式へ切り替えて「９１１」の緊急通報用電話番号へ３Ｇ発信中であることを示している３Ｇ発信中画面６０ａがディスプレイ２Ａに表示された、通信方式切替操作直後の状態を示している。ステップＳ２６において、３Ｇ発信中画面６０ａの領域４２上の電波レベルマーク４４ｂは、３Ｇ方式での通信用の電波の電界強度が強く圏内であることを示している。スマートフォン１は、３Ｇ方式への切り替えが許可されたものと判定した場合、通信方式をＰＨＳ方式から３Ｇ方式へと切り替えて、ストレージ９の設定データ９Ｚに記憶されている通信方式に関する情報を、ＰＨＳ方式から３Ｇ方式に更新する。そして、スマートフォン１は、ステップＳ２６に示すように、第２通信ユニット６Ｂを制御して、３Ｇ方式の通信回線を使用して緊急通報用電話番号「９１１」へ３Ｇ発信し、ディスプレイ２Ａに３Ｇ発信中画面６０ａを表示させる。
【００７９】
図１１を参照しながら、制御プログラム９Ａが提供する機能に基づく制御の処理手順の例について説明する。図１１は、スマートフォン１において、タッチスクリーン２Ｂに緊急通報用電話番号へＰＨＳ発信するための操作が受け付けられたときに行われる各種処理の手順を示している。図１１に示す処理手順は、コントローラ１０が、制御プログラム９Ａを実行することによって実現される。以下の図１１では、通信方式としてＰＨＳ方式が予め設定されている場合の処理手順について説明する。
【００８０】
図１１に示すように、コントローラ１０は、例えば、通話機能に対応するアイコンに対する操作が行われると、ステップＳ１０１として、第１通信ユニット６Ａを起動する。コントローラ１０は、ステップＳ１０２として、ＰＨＳ方式対応のユーザーインターフェース４６（図７参照）をディスプレイ２Ａに表示させる。
【００８１】
コントローラ１０は、ステップＳ１０３として、タッチスクリーン２Ｂにより、ＰＨＳ発信操作が検出されたか否かを判定する。本実施形態では、コントローラ１０は、タッチスクリーン２Ｂにより、ユーザーインターフェース４６上のキーパッドの「発信（ＰＨＳ）」と表記された箇所へのタッチを、ＰＨＳ発信操作として検出する。
【００８２】
コントローラ１０は、ＰＨＳ発信操作が検出された場合には（ステップＳ１０３，Ｙｅｓ）、ステップＳ１０４として、ユーザーインターフェース４６に入力済みの電話番号があるか否かを判定する。コントローラ１０は、ＰＨＳ発信操作が検出されなかった場合には（ステップＳ１０３，Ｎｏ）、本処理を終了する。例えば、コントローラ１０は、ＰＨＳ発信操作が検出されない時間が所定時間以上経過した場合に、本処理を終了して、省電力モードに移行する。
【００８３】
コントローラ１０は、入力済みの電話番号があると判定した場合には（ステップＳ１０４，Ｙｅｓ）、ステップＳ１０５として、第１通信ユニット６Ａで受信しているＰＨＳ方式での通信用の電波が閾値以下であるか否かを判定することで、ＰＨＳ方式の通信回線が圏内であるか否かを判定する。コントローラ１０は、入力済みの電話番号がないと判定した場合には（ステップＳ１０４，Ｎｏ）、ステップＳ１０２の処理へ移行して、ユーザに電話番号を入力させるようＰＨＳ方式対応のユーザーインターフェース４６をディスプレイ２Ａに表示させる。
【００８４】
以下のステップＳ１０６〜Ｓ１０９において、コントローラ１０がステップＳ１０５にてＰＨＳ方式の通信回線が圏内であると判定した場合に行われる処理について説明する。
【００８５】
コントローラ１０は、第１通信ユニット６Ａで受信しているＰＨＳ方式での通信用の電波が閾値より大きいと判定して、ＰＨＳ方式の通信回線が圏内であると判定した場合には（ステップＳ１０５，Ｙｅｓ）、ステップＳ１０６として、設定データ９Ｚを参照して、ユーザーインターフェース４６に入力済みの電話番号が、ＰＨＳ方式における緊急通報用電話番号であるか否かを判定する。本実施形態において、ＰＨＳ方式における緊急通報用電話番号は、ストレージ９に記憶されている設定データ９Ｚに含まれる。例えば、ＰＨＳ方式における緊急通報用電話番号は、「１１０」、「１１８」、「１１９」を含む。
【００８６】
コントローラ１０は、ＰＨＳ方式における緊急通報用電話番号であると判定した場合には（ステップＳ１０６，Ｙｅｓ）、ステップＳ１０７として、第１通信ユニット６Ａを制御し、ＰＨＳ方式の通信回線を使用して緊急通報用電話番号を発信先としてＰＨＳ発信することで、緊急通報を実施する。その後、本処理を終了する。コントローラ１０は、ＰＨＳ方式における緊急通報用電話番号ではないと判定した場合には（ステップＳ１０６，Ｎｏ）、ステップＳ１０８として、設定データ９Ｚを参照して、ユーザーインターフェース４６に入力済みの電話番号が、３Ｇ方式における緊急通報用電話番号であるか否かを判定する。本実施形態において、３Ｇ方式における緊急通報用電話番号は、ストレージ９に記憶されている設定データ９Ｚに含まれる。例えば、３Ｇ方式における緊急通報用電話番号は、「１１０」、「１１８」、「１１９」、「０００」、「０８」、「１１２」、「９１１」、「９９９」を含む。
【００８７】
コントローラ１０は、３Ｇ方式における緊急通報用電話番号ではないと判定した場合には（ステップＳ１０８，Ｎｏ）、ステップＳ１０９として、ユーザーインターフェース４６に入力済みの電話番号に対応する発信先へＰＨＳ発信する。その後、本処理を終了する。コントローラ１０は、３Ｇ方式における緊急通報用電話番号であると判定した場合には（ステップＳ１０８，Ｙｅｓ）、ステップＳ１１２の処理へ移行して、第２通信ユニット６Ｂを起動し、３Ｇ方式での通信用の電波が閾値より大きいか否かを判定することで、３Ｇ方式の通信回線が圏内であるか否かを判定する。例えば、緊急通報用電話番号として「９１１」が入力されている場合を示した上述の図１０の例では、「９１１」はＰＨＳ方式における緊急通報用電話番号に含まれないものの、３Ｇ方式における緊急通報用電話番号に含まれるため、ステップＳ１１２の処理へ移行する。ステップＳ１１２以降の処理については後述する。
【００８８】
以下のステップＳ１１０〜Ｓ１１６において、コントローラ１０がステップＳ１０５にてＰＨＳ方式の通信回線が圏外であると判定した場合に行われる処理について説明する。      
【００８９】
コントローラ１０は、第１通信ユニット６Ａで受信しているＰＨＳ方式での通信用の電波が閾値以下であると判定して、ＰＨＳ方式の通信回線が圏外であると判定した場合には（ステップＳ１０５，Ｎｏ）、ステップＳ１１０として、設定データ９Ｚを参照して、ユーザーインターフェース４６に入力済みの電話番号が、３Ｇ方式における緊急通報用電話番号であるか否かを判定する。
【００９０】
コントローラ１０は、３Ｇ方式における緊急通報用電話番号ではないと判定した場合には（ステップＳ１１０，Ｎｏ）、ステップＳ１１１として、ディスプレイ２Ａに発信が失敗したことを示すエラー画面を表示させる。その後、本処理を終了する。本実施形態において、ステップＳ１１１でエラー画面を表示後、ステップＳ１０２の処理へ移行してもよい。コントローラ１０は、３Ｇ方式における緊急通報用電話番号であると判定した場合には（ステップＳ１１０，Ｙｅｓ）、ステップＳ１１２として、第２通信ユニット６Ｂを起動し、３Ｇ方式での通信用の電波が閾値より大きいか否かを判定することで、３Ｇ方式の通信回線が圏内であるか否かを判定する。例えば、緊急通報用電話番号として「１１９」と「９１１」が入力されている場合を示した上述の図９および図１０の例では、「１１９」および「９１１」は両方とも３Ｇ方式における緊急通報用電話番号であるため、ステップＳ１１２の処理へ移行する。
【００９１】
コントローラ１０は、３Ｇ方式での通信用の電波が閾値以下であると判定して、３Ｇ方式の通信回線が圏外であると判定した場合には（ステップＳ１１２，Ｎｏ）、ステップＳ１１１に移行して、ディスプレイ２Ａに発信が失敗したことを示すエラー画面を表示させる。コントローラ１０は、３Ｇ方式での通信用の電波が閾値より大きいと判定して、３Ｇ方式の通信回線が圏内であると判定した場合には（ステップＳ１１２，Ｙｅｓ）、ステップＳ１１３として、設定データ９Ｚを参照して、通信方式を切り替える際に確認通知を行うよう設定されているか否かを判定することで、通信方式の切り替え確認設定の有無を判定する。
【００９２】
コントローラ１０は、通信方式の切り替え確認設定が無いと判定した場合には（ステップＳ１１３，Ｎｏ）、ステップＳ１１４として、第２通信ユニット６Ｂを制御し、３Ｇ方式の通信回線を使用して緊急通報用電話番号を発信先として３Ｇ発信することで、緊急通報を実施する。その後、本処理を終了する。コントローラ１０は、通信方式の切り替え確認設定が有ると判定した場合には（ステップＳ１１３，Ｙｅｓ）、ステップＳ１１５として、上述の図９および図１０に示すように、３Ｇ方式へ通信方式を切り替える確認通知４６ｂをディスプレイ２Ａに表示させる。そして、コントローラ１０は、ステップＳ１１６として、確認通知４６ｂ上のＯＫと表記された箇所へのタッチ、または、キャンセルと表示された箇所へのタッチのうちいずれかを検出したかを判定することで、３Ｇ方式への切り替えが許可されたか否かを判定する。
【００９３】
コントローラ１０は、確認通知４６ｂ上のＯＫと表記された箇所へのタッチを検出して、３Ｇ方式への切り替えが許可されたと判定した場合には（ステップＳ１１６，Ｙｅｓ）、ステップＳ１１４へ移行して、第２通信ユニット６Ｂを制御し、３Ｇ方式の通信回線を使用して緊急通報用電話番号を発信先として３Ｇ発信することで、緊急通報を実施する。その後、本処理を終了する。コントローラ１０は、確認通知４６ｂ上のキャンセルと表記された箇所へのタッチを検出して、３Ｇ方式への切り替えが許可されなかったと判定した場合には（ステップＳ１１６，Ｎｏ）、ステップＳ１０２の処理へ移行して、ＰＨＳ方式対応のユーザーインターフェース４６をディスプレイ２Ａに表示させる。
【００９４】
図１２を参照しながら、制御プログラム９Ａが提供する機能に基づく制御の例について説明する。図１２は、スマートフォン１が、３Ｇ方式の通信回線を使用して３Ｇ方式及びＰＨＳ方式で使用可能な緊急通報用電話番号（図１２において、「１１９」）へ発信する際、３Ｇ方式の通信回線が圏外である場合に、ＰＨＳ方式の通信回線に切り替えて緊急通報を行う制御の例を示している。以下の図１２では、通信方式として３Ｇ方式が予め設定されている場合の制御について説明する。
【００９５】
図１２に示すステップＳ３１は、ディスプレイ２Ａに、３Ｇ方式による通話に関する操作を受け付けるためのユーザーインターフェース４７がディスプレイ２Ａに表示された状態を示している。ステップＳ３１および以下のステップＳ３２〜Ｓ３５において、ユーザーインターフェース４７の領域４２上の電波レベルマーク４４ｂは、３Ｇ方式での通信用の電波の電界強度が弱く圏外であることを示している。スマートフォン１は、例えば、通話機能に対応するアイコンに対する操作が行われると、ステップＳ３１に示すように、第２通信ユニット６Ｂを起動し、ディスプレイ２Ａにユーザーインターフェース４７を表示させる。
【００９６】
図１２に示すステップＳ３２は、ユーザの指Ｆ１によりユーザーインターフェース４７上のキーパッドに対する操作が行われて３Ｇ方式およびＰＨＳ方式で使用可能な緊急通報用電話番号として「１１９」が入力された状態を示している。スマートフォン１は、ステップＳ３２に示すように、タッチスクリーン２Ｂにより、ユーザーインターフェース４７上のキーパッドの「１」と表記された箇所、「１」と表記された箇所、「９」と表記された箇所へのタッチがこの順番で検出されると、入力された緊急通報用電話番号「１１９」をユーザーインターフェース４７上に表示させる。
【００９７】
図１２に示すステップＳ３３は、ユーザの指Ｆ１が、３Ｇ発信操作を行うための操作部４７ａに対応する「発信（３Ｇ）」と表記された箇所にタッチしている状態を示している。スマートフォン１は、ステップＳ３３に示すように、タッチスクリーン２Ｂにより、ユーザーインターフェース４７上のキーパッドの「発信（３Ｇ）」と表記された箇所へのタッチが検出されると、第２通信ユニット６Ｂで受信している３Ｇ方式での通信用の電波が閾値以下であるか否かを確認する。
【００９８】
図１２に示すステップＳ３４は、３Ｇ方式による通話が圏外であるため通信可能なＰＨＳ方式に通信方式を切り替えるかを問い合わせるメッセージ（図１２において、「３Ｇは圏外です。ＰＨＳに切り替えますか？」とのメッセージ）が表示されるとともに、通信可能なＰＨＳ方式の通信方式へ切り替える操作を受け付けるための確認通知４７ｂが表示された、３Ｇ発信操作直後の状態を示している。スマートフォン１は、３Ｇ方式での通信用の電波が閾値以下である場合、第１通信ユニット６Ａを起動し、ＰＨＳ方式での通信用の電波が閾値より大きいことを確認した上で、ステップＳ３４に示すように、ユーザーインターフェース４７上に確認通知４７ｂを表示させる。
【００９９】
図１２に示すステップＳ３５は、ユーザの指Ｆ１が、ＰＨＳ方式へ切り替えるための操作部に対応する確認通知４７ｂ上の「ＯＫ」と表記された箇所にタッチしている状態を示している。スマートフォン１は、ステップＳ３５に示すように、タッチスクリーン２Ｂにより、確認通知４７ｂ上の「ＯＫ」と表記されている箇所へのタッチが検出されると、ＰＨＳ方式への切り替えが許可されたものと判定する。これとは反対に、スマートフォン１は、確認通知４７ｂ上の「キャンセル」と表記されている箇所への操作が検出されると、ＰＨＳ方式への切り替えが許可されなかったものと判定する。
【０１００】
図１２に示すステップＳ３６は、通信可能なＰＨＳ方式の通信方式へ切り替えて「１１９」の緊急通報用電話番号へＰＨＳ発信中であることを示しているＰＨＳ発信中画面６１ａがディスプレイ２Ａに表示された、通信方式切替操作直後の状態を示している。ステップＳ３６において、ＰＨＳ発信中画面６１ａの領域４２上の電波レベルマーク４４ａは、ＰＨＳ方式での通信用の電波の電界強度が強く圏内であることを示している。スマートフォン１は、ＰＨＳ方式への切り替えが許可されたものと判定した場合、通信方式を３Ｇ方式からＰＨＳ方式へと切り替えて、ストレージ９の設定データ９Ｚに記憶されている通信方式に関する情報を、３Ｇ方式からＰＨＳ方式に更新する。そして、スマートフォン１は、ステップＳ３６に示すように、第１通信ユニット６Ａを制御して、ＰＨＳ方式の通信回線を使用して緊急通報用電話番号「１１９」へＰＨＳ発信し、ディスプレイ２ＡにＰＨＳ発信中画面６１ａを表示させる。
【０１０１】
本実施形態において、３Ｇ方式で使用可能な緊急通報用電話番号は、ＰＨＳ方式で使用可能な緊急通報用電話番号を含む。そのため、スマートフォン１が、３Ｇ方式の通信回線を使用して３Ｇ方式でのみ使用可能な緊急通報用電話番号（例えば、「９１１」）へ発信する際、３Ｇ方式の通信回線が圏外である場合は、通信方式の切り替え制御を行わない。これは、スマートフォン１が、ＰＨＳ方式に切り替えたとしても緊急通報を行うことはできないためである。
【０１０２】
図１３を参照しながら、制御プログラム９Ａが提供する機能に基づく制御の処理手順の例について説明する。図１３は、スマートフォン１において、タッチスクリーン２Ｂに緊急通報用電話番号へ３Ｇ発信するための操作が受け付けられたときに行われる各種処理の手順を示している。図１３に示す処理手順は、コントローラ１０が、制御プログラム９Ａを実行することによって実現される。以下の図１３では、通信方式として３Ｇ方式が予め設定されている場合の処理手順について説明する。
【０１０３】
図１３に示す処理手順の例と、図１１に示した処理手順の例は、基本的に同様の処理手順を行っており、図１３では、３Ｇ方式の通信回線が圏内であり、入力済みの電話番号が３Ｇ方式における緊急通報用電話番号ではない場合（図１３においてステップＳ２０６，Ｎｏ）、ＰＨＳ方式における緊急通報用電話番号であるかを判定しない点が、図１１とは異なる。これに対しては、図１１では、３Ｇ方式で使用可能な緊急通報用電話番号は、ＰＨＳ方式で使用可能な緊急通報用電話番号を含むため、ＰＨＳ方式の通信回線が圏内であり、入力済みの電話番号がＰＨＳ方式における緊急通報用電話番号ではない場合（図１１においてステップＳ１０６，Ｎｏ）、３Ｇ方式における緊急通報用電話番号であるかを判定している。
【０１０４】
図１３に示すように、コントローラ１０は、例えば、通話機能に対応するアイコンに対する操作が行われると、ステップＳ２０１として、第２通信ユニット６Ｂを起動する。コントローラ１０は、ステップＳ２０２として、３Ｇ方式対応のユーザーインターフェース４７（図８参照）をディスプレイ２Ａに表示させる。
【０１０５】
コントローラ１０は、ステップＳ２０３として、タッチスクリーン２Ｂにより、３Ｇ発信操作が検出されたか否かを判定する。本実施形態では、コントローラ１０は、タッチスクリーン２Ｂにより、ユーザーインターフェース４７上のキーパッドの「発信（３Ｇ）」と表記された箇所へのタッチを、３Ｇ発信操作として検出する。
【０１０６】
コントローラ１０は、３Ｇ発信操作が検出された場合には（ステップＳ２０３，Ｙｅｓ）、ステップＳ２０４として、ユーザーインターフェース４７に入力済みの電話番号があるか否かを判定する。コントローラ１０は、３Ｇ発信操作が検出されなかった場合には（ステップＳ２０３，Ｎｏ）、本処理を終了する。例えば、コントローラ１０は、３Ｇ発信操作が検出されない時間が所定時間以上経過した場合に、本処理を終了して、省電力モードに移行する。
【０１０７】
コントローラ１０は、入力済みの電話番号があると判定した場合には（ステップＳ２０４，Ｙｅｓ）、ステップＳ２０５として、第２通信ユニット６Ｂで受信している３Ｇ方式での通信用の電波が閾値より大きいか否かを判定することで、３Ｇ方式の通信回線が圏内であるか否かを判定する。コントローラ１０は、入力済みの電話番号がないと判定した場合には（ステップＳ２０４，Ｎｏ）、ステップＳ２０２の処理へ移行して、ユーザに電話番号を入力させるよう３Ｇ方式対応のユーザーインターフェース４７をディスプレイ２Ａに表示させる。
【０１０８】
以下のステップＳ２０６〜Ｓ２０８において、コントローラ１０がステップＳ２０５にて３Ｇ方式の通信回線が圏内であると判定した場合に行われる処理について説明する。
【０１０９】
コントローラ１０は、第２通信ユニット６Ｂで受信している３Ｇ方式での通信用の電波が閾値より大きいと判定して、３Ｇ方式の通信回線が圏内であると判定した場合には（ステップＳ２０５，Ｙｅｓ）、ステップＳ２０６として、設定データ９Ｚを参照して、ユーザーインターフェース４７に入力済みの電話番号が、３Ｇ方式における緊急通報用電話番号であるか否かを判定する。
【０１１０】
コントローラ１０は、３Ｇ方式における緊急通報用電話番号であると判定した場合には（ステップＳ２０６，Ｙｅｓ）、ステップＳ２０７として、第２通信ユニット６Ｂを制御し、３Ｇ方式の通信回線を使用して緊急通報用電話番号を発信先として３Ｇ発信することで、緊急通報を実施する。その後、本処理を終了する。コントローラ１０は、３Ｇ方式における緊急通報用電話番号ではないと判定した場合には（ステップＳ２０６，Ｎｏ）、ステップＳ２０８として、ユーザーインターフェース４７に入力済みの電話番号に対応する発信先へ３Ｇ発信する。その後、本処理を終了する。
【０１１１】
以下のステップＳ２０９〜Ｓ２１５において、コントローラ１０がステップＳ２０５にて３Ｇ方式の通信回線が圏外であると判定した場合に行われる処理について説明する。
【０１１２】
コントローラ１０は、第２通信ユニット６Ｂで受信している３Ｇ方式での通信用の電波が閾値以下であると判定して、３Ｇ方式の通信回線が圏外であると判定した場合には（ステップＳ２０５，Ｎｏ）、ステップＳ２０９として、設定データ９Ｚを参照して、ユーザーインターフェース４７に入力済みの電話番号が、ＰＨＳ方式における緊急通報用電話番号であるか否かを判定する。
【０１１３】
コントローラ１０は、ＰＨＳ方式における緊急通報用電話番号ではないと判定した場合には（ステップＳ２０９，Ｎｏ）、ステップＳ２１０として、ディスプレイ２Ａに発信が失敗したことを示すエラー画面を表示させる。その後、本処理を終了する。本実施形態において、ステップＳ２１０でエラー画面を表示後、ステップＳ２０２の処理へ移行してもよい。コントローラ１０は、ＰＨＳ方式における緊急通報用電話番号であると判定した場合には（ステップＳ２０９，Ｙｅｓ）、ステップＳ２１１として、第１通信ユニット６Ａを起動し、ＰＨＳ方式での通信用の電波が閾値より大きいか否かを判定することで、ＰＨＳ方式の通信回線が圏内であるか否かを判定する。例えば、緊急通報用電話番号として「１１９」が入力されている場合を示した上述の図１２の例では、「１１９」は両方ともＰＨＳ方式における緊急通報用電話番号であるため、ステップＳ２１１の処理へ移行する。
【０１１４】
コントローラ１０は、ＰＨＳ方式での通信用の電波が閾値以下であると判定して、ＰＨＳ方式の通信回線が圏外であると判定した場合には（ステップＳ２１１，Ｎｏ）、ステップＳ２１０に移行して、ディスプレイ２Ａに発信が失敗したことを示すエラー画面を表示させる。コントローラ１０は、ＰＨＳ方式での通信用の電波が閾値より大きいと判定して、ＰＨＳ方式の通信回線が圏内であると判定した場合には（ステップＳ２１１，Ｙｅｓ）、ステップＳ２１２として、設定データ９Ｚを参照して、通信方式を切り替える際に確認通知を行うよう設定されているか否かを判定することで、通信方式の切り替え確認設定の有無を判定する。
【０１１５】
コントローラ１０は、通信方式の切り替え確認設定が無いと判定した場合には（ステップＳ２１２，Ｎｏ）、ステップＳ２１３として、第１通信ユニット６Ａを制御し、ＰＨＳ方式の通信回線を使用して緊急通報用電話番号を発信先としてＰＨＳ発信することで、緊急通報を実施する。その後、本処理を終了する。コントローラ１０は、通信方式の切り替え確認設定が有ると判定した場合には（ステップＳ２１２，Ｙｅｓ）、ステップＳ２１４として、上述の図１２に示すように、ＰＨＳ方式へ通信方式を切り替える確認通知４７ｂをディスプレイ２Ａに表示させる。そして、コントローラ１０は、ステップＳ２１５として、確認通知４７ｂ上のＯＫと表記された箇所へのタッチ、または、キャンセルと表示された箇所へのタッチのうちいずれかを検出したかを判定することで、ＰＨＳ方式への切り替えが許可されたか否かを判定する。
【０１１６】
コントローラ１０は、確認通知４７ｂ上のＯＫと表記された箇所へのタッチを検出して、ＰＨＳ方式への切り替えが許可されたと判定した場合には（ステップＳ２１５，Ｙｅｓ）、ステップＳ２１３へ移行して、第１通信ユニット６Ａを制御し、ＰＨＳ方式の通信回線を使用して緊急通報用電話番号を発信先としてＰＨＳ発信することで、緊急通報を実施する。その後、本処理を終了する。コントローラ１０は、確認通知４７ｂ上のキャンセルと表記された箇所へのタッチを検出して、ＰＨＳ方式への切り替えが許可されなかったと判定した場合には（ステップＳ２１５，Ｎｏ）、ステップＳ２０２の処理へ移行して、３Ｇ方式対応のユーザーインターフェース４７をディスプレイ２Ａに表示させる。
【０１１７】
以上述べたように、本実施形態によれば、緊急通報時に予め設定していた通信方式による通話が不能の場合は通信可能な通信方式へ切り替えて緊急通報を実施するので、複数の通信回線を持つ通信装置において、より確実かつ簡単に緊急通報を行うことができる。また、本実施形態によれば、通信方式を切り替える前に、切り替えの可否を問い合わせる画面をディスプレイ２Ａに表示させるので、ユーザの同意を得た上で、設定していた通信方式から通信可能な別の通信方式へ切り替えることができる。
【０１１８】
上述した実施形態では、通信方式を切り替える前に、切り替えの可否を問い合わせる画面をディスプレイ２Ａに表示させる例について説明したが、本実施形態はこれに限定されない。本実施形態にかかるスマートフォン１は、緊急通報時に予め設定していた通信方式による通話が不能の場合は、切り替えの可否を問い合わせる画面をディスプレイ２Ａに表示させずに、自動で通信可能な別の通信方式へ切り替えて緊急通報を実施してもよい。この場合、ユーザが設定していた通信方式を無視することになるが、緊急性を考慮して、緊急通報が成功することを優先させることが可能となる。
【０１１９】
上述した実施形態では、ＰＨＳ方式または３Ｇ方式による通話に関する操作を受け付けるためのユーザーインターフェース上で緊急通報用電話番号が入力された場合の例について説明したが、本実施形態はこれに限定されない。本実施形態にかかるスマートフォン１は、ロック画面から呼び出し可能な緊急通報用のユーザーインターフェース上で緊急通報用電話番号が入力された場合も同様の処理を行うことができる。
【０１２０】
上述した実施形態では、緊急通報時において行われる通信方式の切り替え制御および処理手順について説明したが、本実施形態はこれに限定されず、以下の図１４に示すように、緊急通報時でなくとも使用している通信方式が圏外である場合は通信可能な通信方式へ自動で切り替えることができる。
【０１２１】
図１４を参照しながら、制御プログラム９Ａが提供する機能に基づく制御の処理手順の例について説明する。図１４は、スマートフォン１において、タッチスクリーン２ＢにＰＨＳ発信するための操作が受け付けられたときに行われる各種処理の手順を示している。図１４に示す処理手順は、コントローラ１０が、制御プログラム９Ａを実行することによって実現される。以下の図１４では、通信方式としてＰＨＳ方式が予め設定されている場合の処理手順について説明する。
【０１２２】
図１４に示す処理手順の例と、図１１に示した処理手順の例は、入力済みの電話番号が緊急通報用電話番号であるか判定する処理を行っていない点が、図１１とは異なる。
【０１２３】
図１４に示すように、コントローラ１０は、例えば、通話機能に対応するアイコンに対する操作が行われると、ステップＳ３０１として、第１通信ユニット６Ａを起動する。コントローラ１０は、ステップＳ３０２として、ＰＨＳ方式対応のユーザーインターフェース４６（図７参照）をディスプレイ２Ａに表示させる。
【０１２４】
コントローラ１０は、ステップＳ３０３として、タッチスクリーン２Ｂにより、ＰＨＳ発信操作が検出されたか否かを判定する。
【０１２５】
コントローラ１０は、ＰＨＳ発信操作が検出された場合には（ステップＳ３０３，Ｙｅｓ）、ステップＳ３０４として、ユーザーインターフェース４６に入力済みの電話番号があるか否かを判定する。コントローラ１０は、ＰＨＳ発信操作が検出されなかった場合には（ステップＳ３０３，Ｎｏ）、本処理を終了する。
【０１２６】
コントローラ１０は、入力済みの電話番号があると判定した場合には（ステップＳ３０４，Ｙｅｓ）、ステップＳ３０５として、第１通信ユニット６Ａで受信しているＰＨＳ方式での通信用の電波が閾値より大きいか否かを判定することで、ＰＨＳ方式の通信回線が圏内であるか否かを判定する。コントローラ１０は、入力済みの電話番号がないと判定した場合には（ステップＳ３０４，Ｎｏ）、ステップＳ３０２の処理へ移行して、ユーザに電話番号を入力させるようＰＨＳ方式対応のユーザーインターフェース４６をディスプレイ２Ａに表示させる。
【０１２７】
コントローラ１０は、第１通信ユニット６Ａで受信しているＰＨＳ方式での通信用の電波が閾値より大きいと判定して、ＰＨＳ方式の通信回線が圏内であると判定した場合には（ステップＳ３０５，Ｙｅｓ）、ステップＳ３０６として、第１通信ユニット６Ａを制御し、ＰＨＳ方式の通信回線を使用してユーザーインターフェース４６に入力済みの電話番号に対応する発信先へＰＨＳ発信する。その後、本処理を終了する。
【０１２８】
コントローラ１０は、第１通信ユニット６Ａで受信しているＰＨＳ方式での通信用の電波が閾値以下であると判定して、ＰＨＳ方式の通信回線が圏外であると判定した場合には（ステップＳ３０５，Ｎｏ）、ステップＳ３０７として、第２通信ユニット６Ｂを起動し、３Ｇ方式での通信用の電波が閾値より大きいか否かを判定することで、３Ｇ方式の通信回線が圏内であるか否かを判定する。
【０１２９】
コントローラ１０は、３Ｇ方式での通信用の電波が閾値以下であると判定して、３Ｇ方式の通信回線が圏外であると判定した場合には（ステップＳ３０７，Ｎｏ）、ステップＳ３０８として、ディスプレイ２Ａに発信が失敗したことを示すエラー画面を表示させる。その後、本処理を終了する。
【０１３０】
コントローラ１０は、３Ｇ方式での通信用の電波が閾値より大きいと判定して、３Ｇ方式の通信回線が圏内であると判定した場合には（ステップＳ３０７，Ｙｅｓ）、ステップＳ３０９として、設定データ９Ｚを参照して、通信方式を切り替える際に確認通知を行うよう設定されているか否かを判定することで、通信方式の切り替え確認設定の有無を判定する。
【０１３１】
コントローラ１０は、通信方式の切り替え確認設定が無いと判定した場合には（ステップＳ３０９，Ｎｏ）、ステップＳ３１０として、第２通信ユニット６Ｂを制御し、３Ｇ方式の通信回線を使用してユーザーインターフェース４６に入力済みの電話番号に対応する発信先へ３Ｇ発信する。その後、本処理を終了する。
【０１３２】
コントローラ１０は、通信方式の切り替え確認設定が有ると判定した場合には（ステップＳ３０９，Ｙｅｓ）、ステップＳ３１１として、３Ｇ方式へ通信方式を切り替える確認通知４６ｂをディスプレイ２Ａに表示させる。そして、コントローラ１０は、ステップＳ３１２として、確認通知４６ｂ上のＯＫと表記された箇所へのタッチ、または、キャンセルと表示された箇所へのタッチのうちいずれかを検出したかを判定することで、３Ｇ方式への切り替えが許可されたか否かを判定する。
【０１３３】
コントローラ１０は、確認通知４６ｂ上のＯＫと表記された箇所へのタッチを検出して、３Ｇ方式への切り替えが許可されたと判定した場合には（ステップＳ３１２，Ｙｅｓ）、ステップＳ３１０へ移行して、第２通信ユニット６Ｂを制御し、３Ｇ方式の通信回線を使用してユーザーインターフェース４６に入力済みの電話番号に対応する発信先へ３Ｇ発信する。その後、本処理を終了する。
【０１３４】
コントローラ１０は、確認通知４６ｂ上のキャンセルと表記された箇所へのタッチを検出して、３Ｇ方式への切り替えが許可されなかったと判定した場合には（ステップＳ３１２，Ｎｏ）、ステップＳ３０２の処理へ移行して、ＰＨＳ方式対応のユーザーインターフェース４６をディスプレイ２Ａに表示させる。
【０１３５】
上述した図１４の処理手順は、コントローラ１０がステップＳ３０２にて３Ｇ方式対応のユーザインターフェース４７を表示した場合についても基本的に同様である。この場合、ＰＨＳ方式に対して行っていた処理を３Ｇ方式に対して行う処理として変更し、３Ｇ方式に対して行っていた処理をＰＨＳ方式に対して行う処理として変更する点だけが異なる。具体的には、コントローラ１０がステップＳ３０２にて３Ｇ方式対応のユーザインターフェース４７を表示した場合、コントローラ１０は、図１４のステップＳ３０５にて３Ｇ方式の通信回線が圏内であるか否かを判定し、ステップＳ３０６にて３Ｇ方式の通信回線で対応する電話番号へ発信する。また、コントローラ１０は、ステップＳ３０７にてＰＨＳ方式での通信回線が圏内であるか否かを判定し、ステップＳ３１０にてＰＨＳ方式の通信回線で対応する電話番号へ発信する。また、コントローラ１０は、ステップＳ３１１にてＰＨＳ方式へ通信方式を切り替える確認通知４７ｂを表示し、ステップＳ３１２にてＰＨＳ方式への切り替えが許可されたか否かを判定する。
【０１３６】
上述したように、本実施形態によれば、従来の複数の通信回線を持つ通信装置において圏外側の通信回線で音声発信を試みると音声発信に失敗し、利用者が圏内側の通信回線を使用して音声発信を再度やり直す必要があるといった問題を解決することができる。つまり、本実施形態によれば、複数の通信回線のうち一方の通信回線が圏外であるが他方の通信回線が圏内である場合は、スムーズに圏内側の通信回線を使用して通話を実現することができる。このように、本実施形態によれば、ユーザーフレンドリーな通信サービスに対応した処理を行うことができる。
【０１３７】
上述した実施形態では、第１の通信方式をＰＨＳ方式とし、第２の通信方式を３Ｇ方式として例示したが、これに限定されない。上述した実施形態は、例えば、第１の通信方式を３Ｇ方式とし、第２の通信方式をＰＨＳ方式として場合も同様に適用される。
【０１３８】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【０１３９】
例えば、図５に示した各プログラムは、複数のモジュールに分割されていてもよい。あるいは、図５に示した各プログラムは、他のプログラムと結合されていてもよい。
【０１４０】
上記の実施形態では、タッチスクリーンを備える装置の一例として、スマートフォンについて説明したが、添付の請求項に係る装置は、スマートフォンに限定されない。添付の請求項に係る装置は、スマートフォン以外の携帯電子機器であってもよい。携帯電子機器は、例えば、モバイルフォン、タブレット、携帯型パソコン、デジタルカメラ、メディアプレイヤ、電子書籍リーダ、ナビゲータ、及びゲーム機である。あるいは、添付の請求項に係る装置は、据え置き型の電子機器であってもよい。据え置き型の電子機器は、例えば、デスクトップパソコン、及びテレビ受像器である。
【符号の説明】
【０１４１】
１  スマートフォン
２  タッチスクリーンディスプレイ
２Ａ  ディスプレイ
２Ｂ  タッチスクリーン
３  ボタン
４  照度センサ
５  近接センサ
６  通信ユニット
７  レシーバ
８  マイク
９  ストレージ
９Ａ  制御プログラム
９Ｂ  メールアプリケーション
９Ｃ  ブラウザアプリケーション
９Ｄ  ナビゲートアプリケーション
９Ｅ  音楽プレイヤーアプリケーション
９Ｆ  カレンダーアプリケーション
９Ｇ  計算機アプリケーション
９Ｚ  設定データ
１０  コントローラ
１１  スピーカ
１２，１３  カメラ
１４  コネクタ
１５  加速度センサ
１６  方位センサ
１７  ジャイロスコープ
２０  ハウジング
４０  ホーム画面
４５  通話設定インターフェース
４６，４７  ユーザーインターフェース
５０  アイコン
【図１】
0006302155.tif 000002
【図２】
0006302155.tif 000003
【図３】
0006302155.tif 000004
【図４】
0006302155.tif 000005
【図５】
0006302155.tif 000006
【図６】
0006302155.tif 000007
【図７】
0006302155.tif 000008
【図８】
0006302155.tif 000009
【図９】
0006302155.tif 000010
【図１０】
0006302155.tif 000011
【図１１】
0006302155.tif 000012
【図１２】
0006302155.tif 000013
【図１３】
0006302155.tif 000014
【図１４】
0006302155.tif 000015